(57)【要約】  端末（１０）において受信処理部（１２）は、基地局から送信された割り当て情報（つまり、送信指示）を受信する。そして、第２処理区間の第１の測定単位区間において、測定用信号検出部（２３）は、受信した割り当て情報が示す送信時間以外で他の端末（１０）が送信した測定用信号を、検出する。そして、送信処理部（１５）は、測定用信号検出部（２３）で検出された測定用信号に関する情報を、基地局へ報告する。
2014181481.tif 000002
【特許請求の範囲】
【請求項１】
端末間で直接に通信可能な端末と、前記端末と通信する基地局とを有する通信システムであって、
前記基地局は、
前記端末が前記端末の送信時間以外で検出した他の端末からの測定用信号に関する報告を受信する受信手段と、
前記端末が測定用信号を送信する送信時間に関する第１の割り当て情報を前記端末に送信し、前記第１の割り当て情報が示す送信時間以外に前記端末が検出した測定用信号に関する前記報告を用いて、第２の割り当て情報を形成し、前記形成した第２の割り当て情報を前記端末に送信する制御手段と、
を具備し、
前記端末は、
前記基地局から送信された割り当て情報を受信する受信手段と、
前記受信した割り当て情報が示す送信時間以外で他の端末が送信した測定用信号を検出する検出手段と、
前記受信した割り当て情報が示す送信時間に測定用信号を送信し、前記検出手段で検出した測定用信号に関する報告を前記基地局へ送信する送信手段と、
を具備する、
ことを特徴とする通信システム。
【請求項２】
端末間で直接に通信可能な端末が前記端末の送信時間以外で検出した他の端末からの測定用信号に関する報告を受信する受信手段と、
前記端末が測定用信号を送信する送信時間に関する第１の割り当て情報を前記端末に送信し、前記第１の割り当て情報が示す送信時間以外に前記端末が検出した測定用信号に関する前記報告を用いて、第２の割り当て情報を形成し、前記形成した第２の割り当て情報を前記端末に送信する制御手段と、
を具備することを特徴とする基地局。
【請求項３】
前記制御手段は、端末間で直接に通信を行わない他の端末に対して、測定用信号の送信指示を送信する、
ことを特徴とする請求項２に記載の基地局。
【請求項４】
端末間で直接に通信可能な端末であって、
基地局から送信された割り当て情報を受信する受信手段と、
前記受信した割り当て情報が示す送信時間以外で他の端末が送信した測定用信号を検出する検出手段と、
前記受信した割り当て情報が示す送信時間に測定用信号を送信し、前記検出手段で検出した測定用信号に関する報告を前記基地局へ送信する送信手段と、
を具備することを特徴とする端末。
【請求項５】
前記送信手段は、前記受信した割り当て情報が示す送信時間で測定用信号を送信する第２の処理区間の前の第１の処理区間において、端末毎に決定される情報に基づいて一義的に定まる送信時間に測定用信号を送信する、
ことを特徴とする請求項４に記載の端末。
【請求項６】
前記送信手段は、前記受信した割り当て情報が示す送信時間で測定用信号を送信する第２の処理区間の前の第１の処理区間において、端末毎に決定される情報に基づいて一義的に定まる系列を、前記測定用信号として送信する、
ことを特徴とする請求項４に記載の端末。
【請求項７】
前記端末毎に決定される情報は、前記基地局のセル識別情報及び前記基地局から割り当てられた端末識別情報である、
ことを特徴とする請求項５又は６に記載の端末。
【請求項８】
前記端末毎に決定される情報は、端末毎にランダムに選択された数値情報である、
ことを特徴とする請求項５又は６に記載の端末。
【請求項９】
前記検出手段は、端末間で直接に通信を行わない他の端末から送信された測定用信号に基づいて、前記他の端末からの干渉レベルを検出する、
ことを特徴とする請求項４に記載の端末。
【請求項１０】
直接に通信可能な端末間の通信路の品質測定を制御する基地局における制御方法であって、
端末が測定用信号を送信する送信時間に関する第１の割り当て情報を前記端末に送信し、
前記端末が前記端末の送信時間以外で検出した他の端末からの測定用信号に関する報告を受信し、
前記報告を用いて、第２の割り当て情報を形成し、前記形成した第２の割り当て情報を前記端末に送信する、
ことを特徴とする制御方法。
【請求項１１】
端末間で直接に通信可能な端末であって、
前記端末自身がランダムに決定した乱数値、又は、前記端末に対して固有に割り当てられた識別子の値に基づいて一義的に定まる、測定用信号に関する情報を特定する制御手段と、
前記特定した情報に対応する測定用信号を送信する送信手段と、
を具備することを特徴とする端末。
【請求項１２】
前記制御手段は、前記測定用信号に関する情報として、少なくとも前記測定用信号として用いられる系列の識別情報を特定する、
ことを特徴とする請求項１１に記載の端末。
【請求項１３】
前記送信手段から送信される測定用信号は、前記系列と前記系列が時間反転された系列とを含む、
ことを特徴とする請求項１２に記載の端末。
【請求項１４】
前記送信した測定用信号に対して他の端末から送信され、且つ、前記乱数値及び前記他の端末の識別情報を含む応答信号を受信する受信手段を具備し、
前記送信手段は、前記受信手段で前記応答信号が受信された場合、前記端末自身の物理識別子を少なくとも含む端末詳細情報を前記他の端末の識別情報と共に送信する、
ことを特徴とする請求項１１から１３のいずれか一項に記載の端末。
【請求項１５】
端末間で直接に通信可能な端末であって、
他の端末から送信された測定用信号を検出する検出手段と、
前記検出した測定用信号に対応づけられた値を算出する制御手段と、
前記算出した値及び前記端末自身の識別情報を含み、且つ、前記検出した測定用信号に対する応答信号を送信する送信手段と、
を具備することを特徴とする端末。
【請求項１６】
前記応答信号に対する応答として前記他の端末から送信され、且つ、前記他の端末の物理識別子を含む第１の端末詳細情報を受信する受信手段を具備し、
前記送信手段は、前記端末自身の第２の端末詳細情報を前記他の端末の物理識別子と共に送信する、
ことを特徴とする請求項１５に記載の端末。
【発明の詳細な説明】
【技術分野】
【０００１】
本発明は、通信システム、基地局、端末、及び制御方法に関する。
【背景技術】
【０００２】
３ＧＰＰにおけるＬＴＥ（3rd  Generation  Partnership  Project  Long  Term  Evolution）の標準化では、基地局装置と端末装置との間のトラヒック量を削減するために、端末同士が直接通信を行うＤ２Ｄ（Device  to  Device）通信の議論が始まっている。なお、以下では、基地局装置は、単に「基地局」と呼び、端末装置は、単に「端末」と呼ぶことがある。【０００３】
Ｄ２Ｄ通信を行う場合、端末は、通信相手となる端末を発見する処理、及び、端末間の通信路の品質を測定する処理を行う。例えば、端末を一意に識別可能な新たなコードを導入して、端末同士が発見し合う技術が提案されている。この提案では、各端末は、基地局から指定されたホッピングパターンに従って、端末識別コードをマッピングするリソース（周波数及び時間）を変えながら、端末識別コードを送信する。ここで、端末は自身が端末識別コードを送信している時間に他の端末から送信された端末識別コードを受信することができない。このため、端末識別コードをマッピングするリソース（周波数及び時間）を変えることにより、或る時点で端末識別コードの送信時間が重なっていた２つの端末の他の時点での送信時間が重ならないようにしている。
【先行技術文献】
【特許文献】
【０００４】
【特許文献１】特開２０１３−３４１６５号公報
【非特許文献】
【０００５】
【非特許文献１】Qualcomm、"LTE  Direct  Overview"、［online］、2012年、［2013年4月25日検索］、インターネット〈http://s3.amazonaws.com/sdieee/205-LTE+Direct+IEEE+VTC+San+Diego.pdf〉
【発明の概要】
【発明が解決しようとする課題】
【０００６】
しかしながら、従来の端末間通信路の品質測定方法では、端末は基地局から一度指定されたホッピングパターンに従って端末識別コードの送信を継続するため、例えば、全端末間の通信路の品質を測定し終わるまでの時間が長期化してしまう可能性がある。【０００７】
開示の技術は、上記に鑑みてなされたものであって、端末間通信路の品質測定を効率化できる、通信システム、基地局、端末、及び制御方法を提供することを目的とする。
【課題を解決するための手段】
【０００８】
開示の態様では、端末間で直接に通信可能な端末が前記端末の送信時間以外で検出した他の端末からの測定用信号に関する報告を受信し、前記端末が測定用信号を送信する送信時間に関する第１の割り当て情報を前記端末に送信し、前記第１の割り当て情報が示す送信時間以外に前記端末が検出した測定用信号に関する前記報告を用いて、第２の割り当て情報を形成し、前記形成した第２の割り当て情報を前記端末に送信する。
【発明の効果】
【０００９】
開示の態様によれば、端末間通信路の品質測定を効率化できる。
【図面の簡単な説明】
【００１０】
【図１】図１は、実施例１の通信システムの一例を示す図である。
【図２】図２は、実施例１の基地局の一例を示すブロック図である。
【図３】図３は、実施例１の第１の端末の一例を示すブロック図である。
【図４】図４は、実施例１の第２の端末の一例を示すブロック図である。
【図５】図５は、実施例１の基地局の処理動作の一例を示すフローチャートである。
【図６】図６は、実施例１の通信システムの処理動作の一例を示す図である。
【図７】図７は、測定指示の形成、並びに、測定指示に基づく測定用信号の送信及び測定の一例の説明に供する図である。
【図８】図８は、測定指示の形成、並びに、測定指示に基づく測定用信号の送信及び測定の一例の説明に供する図である。
【図９】図９は、実施例２の基地局の処理動作の一例を示すフローチャートである。
【図１０】図１０は、実施例２の通信システムの処理動作の一例を示す図である。
【図１１】図１１は、実施例３の通信システムの一例を示す図である。
【図１２】図１２は、実施例３の第１の端末の一例を示すブロック図である。
【図１３】図１３は、実施例３の第２の端末の一例を示すブロック図である。
【図１４】図１４は、実施例３の通信システムの処理動作の一例の説明に供する図である。
【図１５】図１５は、実施例３の通信システムの処理動作の一例の説明に供する図である。
【図１６】図１６は、実施例４の第１の端末の一例を示すブロック図である。
【図１７】図１７は、実施例４の測定用信号の一例を示す図である。
【図１８】図１８は、実施例４の第２の端末の一例を示すブロック図である。
【図１９】図１９は、端末のハードウェア構成例を示す図である。
【図２０】図２０は、基地局のハードウェア構成例を示す図である。
【発明を実施するための形態】
【００１１】
以下に、本願の開示する通信システム、基地局、端末、及び制御方法の実施形態を図面に基づいて詳細に説明する。なお、この実施形態により本願の開示する通信システム、基地局、端末、及び制御方法が限定されるものではない。また、実施形態において同一の機能を有する構成には同一の符号を付し、重複する説明は省略される。
【００１２】
［実施例１］
［通信システムの概要］
図１は、実施例１の通信システムの一例を示す図である。図１において、通信システム１は、端末１０−１，２，３，４と、端末４０−１，２，３と、基地局５０とを有する。図１において、セルＣ５０は、基地局５０の射程エリアと第１のチャネル周波数によって規定される。端末１０−１，２，３，４は、Ｄ２Ｄ通信が可能な端末であり、端末４０−１，２，３は、Ｄ２Ｄ通信を行わない端末である。以下では、端末１０−１，２，３，４を特に区別しない場合には、総称して、端末１０と呼ぶことがある。また、端末４０−１，２，３を特に区別しない場合には、総称して、端末４０と呼ぶことがある。また、図１に示した端末１０と、端末４０と、基地局５０との数は一例であり、これに限定されるものではない。また、基地局５０は、例えば、マクロ基地局であってもよいし、ＬＴＥシステムにおける、張出基地局（ＲＲＨ：Radio  Remote  Header）を用いた基地局、フェムト基地局、又は、小型基地局であってもよい。
【００１３】
端末１０は、「第１処理区間」において、基地局５０のセル識別情報（例えば、ＰＣＩ：Physical  Cell  Identification）及び基地局５０から割り当てられた端末識別情報（例えば、無線ネットワーク一時識別子（ＲＮＴＩ：Radio  Network  Temporary  ID））に基づいて一義的に定まる、送信時間及び「測定用信号」によって、測定用信号を送信する。すなわち「第１処理区間」では、端末１０は、自律的に送信時間及び測定用信号を特定し、特定した送信時間に特定した測定用信号を送信する。ここで、「測定用信号」とは、１つの端末１０と他の端末１０との間の、端末間通信路の品質測定を測定するために用いられる信号である。なお、上記のＰＣＩやＲＮＴＩ以外の情報を基に測定用信号の設定を行ってもよい。例えば、端末毎にランダムに選択された数値情報を基に測定用信号の設定を行ってもよい。
【００１４】
また、端末１０は、第１処理区間において、自身の送信時間以外の時間で他の端末１０から送信された測定用信号を検出する処理を行う。そして、端末１０は、第１処理区間において検出した測定用信号に関する情報（つまり、測定報告）を、基地局５０へ送信（報告）する。なお、基地局５０は、端末１０が測定用信号の送信及び検出を開始するタイミング、つまり、第１処理区間の開始タイミングに関する情報（つまり、測定開始指示）を端末１０に送信（通知）してもよい。
【００１５】
基地局５０は、端末１０から第１処理区間における検出結果の報告を受け取ると、各端末１０に対して「第２処理区間」における測定用信号の送信パターンを割り当てる。送信信号の送信パターンとは、例えば、送信時間と、測定用信号として用いられる符号系列との組合せによって規定されるパターンである。ここで、基地局５０は、第１処理区間において測定されていない端末間通信路に対応する端末１０が測定用信号を送信するように、送信パターンを割り当てる。そして、基地局５０は、各端末１０の送信パターンを示す割り当て情報（つまり、測定指示）を、各端末１０に送信する。
【００１６】
そして、端末１０は、基地局５０から受け取った割り当て情報に基づいて、第２処理区間内の「第１の測定単位区間」において、測定用信号を送信する。また、端末１０は、第１の測定単位区間において、自身の送信時間以外の時間で他の端末１０から送信された測定用信号を検出する処理を行う。そして、端末１０は、第１の測定単位区間において検出した測定用信号に関する情報を、基地局５０へ送信（報告）する。
【００１７】
そして、基地局５０は、端末１０から第１の測定単位区間における検出結果の報告を受け取ると、各端末１０に対して第２処理区間内の第２の測定単位区間における測定用信号の送信パターンを割り当てる。ここで、基地局５０は、第１処理区間及び第１の測定単位区間において測定されていない端末間通信路に対応する端末１０が測定用信号を送信するように、送信パターンを割り当てる。そして、基地局５０は、各端末１０の送信パターンを示す割り当て情報を、各端末１０に送信する。このような基地局５０による送信パターンの割り当てと、端末１０による検出結果の報告とは、セルＣ５０内の端末１０間の端末間通信路のすべてについての検出が完了するまで、行われる。すなわち、第２処理区間には、基本的には、複数の測定単位区間が含まれる。
【００１８】
そして、基地局５０は、第２処理区間が終わると、「第３処理区間」において端末４０が測定用信号を送信するように制御する。この測定用信号に基づいて、端末１０が干渉レベルを検出する。
【００１９】
以上のように、基地局５０が割り当て情報によって端末１０による測定用信号の送信を制御することにより、Ｄ２Ｄ通信を行う端末１０間の、端末間通信路の品質測定を効率化することができる。
【００２０】
［基地局５０の構成例］
図２は、実施例１の基地局の一例を示すブロック図である。図２において、基地局５０は、無線部５１と、受信処理部５２と、制御部５３と、送信処理部５４とを有する。また、無線部５１は、受信無線部５５と、送信無線部６８とを有する。また、受信処理部５２は、ＦＦＴ部５６と、復調部５７と、復号部５８と、分離部５９とを有する。また、制御部５３は、無線リソース制御（ＲＲＣ：Radio  Resource  Control）部６０と、ＭＡＣ制御部６１とを有する。また、送信処理部５４は、パケット生成部６２と、ＭＡＣスケジューリング部６３と、符号化部６４と、変調部６５と、多重部６６と、ＩＦＦＴ部６７とを有する。
【００２１】
受信無線部５５は、アンテナを介して受信した受信信号に対して所定の受信無線処理、つまりダウンコンバート、アナログディジタル変換等を施し、受信無線処理後の受信信号をＦＦＴ部５６へ出力する。
【００２２】
ＦＦＴ部５６は、受信無線部５５から受け取った受信信号に対して高速フーリエ変換処理を施し、高速フーリエ変換処理後の受信信号を復調部５７へ出力する。
【００２３】
復調部５７は、ＦＦＴ部５６から受け取った受信信号を復調し、復調後の受信信号を復号部５８へ出力する。
【００２４】
復号部５８は、復調部５７から受け取った受信信号を復号し、復号後の受信信号を分離部５９へ出力する。
【００２５】
分離部５９は、復号部５８から受け取った受信信号から制御情報及び受信データを抽出し、抽出した制御情報を無線リソース制御部６０へ出力し、抽出した受信データを上位レイヤの機能部へ出力する。ここで、無線リソース制御部６０へ出力される制御情報には、端末１０から送信された、上記の測定報告が含まれる場合がある。
【００２６】
無線リソース制御部６０は、無線リソース制御情報（つまり、ＲＲＣ（Radio  Resource  Control）制御情報）を形成し、形成した無線リソース制御情報をパケット生成部６２へ出力する。
【００２７】
例えば、無線リソース制御部６０は、端末１０に割り当てた無線ネットワーク一時識別子を含めた無線リソース制御情報を形成し、形成した無線リソース制御情報をパケット生成部６２へ出力する。
【００２８】
無線リソース制御部６０は、第１処理区間の開始前に、上記の測定開始指示を含めた無線リソース制御情報を形成し、形成した無線リソース制御情報をパケット生成部６２へ出力する。
【００２９】
また、無線リソース制御部６０は、分離部５９から受け取った制御情報に基づいて、無線リソース制御情報を形成し、形成した無線リソース制御情報をパケット生成部６２へ出力する。例えば、無線リソース制御部６０は、第２処理区間において測定報告を受け取った場合、その測定報告に基づいて未だ測定されていない端末間通信路を特定し、特定した端末通信路に対応する端末１０に対する割り当て情報（つまり、測定指示）を形成する。そして、無線リソース制御部６０は、形成した測定指示を含めた無線リソース制御情報を形成し、形成した無線リソース制御情報をパケット生成部６２へ出力する。
【００３０】
また、無線リソース制御部６０は、全ての端末間通信路について品質測定が完了したか否かを判定する。完了したと判定した場合、つまり、第２処理区間が終了すると判定した場合、完了通知をＭＡＣ制御部６１へ出力する。
【００３１】
ＭＡＣ制御部６１は、自局と端末１０との間の通信に用いられるリソースを割り当てる。このリソースは、例えば、時間と周波数とによって規定される。そして、ＭＡＣ制御部６１は、割り当てたリソース（以下では、「割り当てリソース」と呼ばれることがある）に関する情報を含む個別制御情報を、ＭＡＣスケジューリング部６３及び多重部６６へ出力する。
【００３２】
また、ＭＡＣ制御部６１は、無線リソース制御部６０から完了通知を受け取ると、端末４０に対して測定用信号の送信を命じる測定用信号送信指示を含む個別制御情報を、多重部６６へ出力する。
【００３３】
パケット生成部６２は、端末１０宛て又は端末４０宛ての送信データ、つまりユーザデータ、及び、無線リソース制御部６０から端末１０宛ての無線リソース制御情報を受け取り、受け取ったユーザデータ及び無線リソース制御情報を用いて送信パケットを生成する。そして、パケット生成部６２は、生成した送信パケットをＭＡＣスケジューリング部６３へ出力する。
【００３４】
ＭＡＣスケジューリング部６３は、パケット生成部６２から受け取った端末１０宛て又は端末４０宛てのパケットを、ＭＡＣ制御部６１でその端末１０又は端末４０に割り当てられた時間に対応するタイミングで符号化部６４へ出力する。なお、ＭＡＣスケジューリング部６３は、パケットを所定のデータサイズのデータユニットに分割し、データユニットを符号化部６４へ出力してもよい。
【００３５】
符号化部６４は、ＭＡＣスケジューリング部６３から受け取るパケットに対して符号化処理を行い、符号化処理後のパケットを変調部６５へ出力する。
【００３６】
変調部６５は、符号化部６４から受け取る符号化処理後のパケットを変調し、変調後のパケットを多重部６６へ出力する。
【００３７】
多重部６６は、入力信号を所定のリソースにマッピングして多重し、多重信号をＩＦＦＴ部６７へ出力する。
【００３８】
具体的には、多重部６６は、ＭＡＣ制御部６１から個別制御情報を受け取り、下り回線制御チャネル（例えば、ＰＤＣＣＨ：Physical  Downlink  Control  Channel）に割り当てられたリソース領域にマッピングする。
【００３９】
また、多重部６６は、変調部６５からパケットを受け取り、上記の個別制御情報が示す下り回線の割り当てリソースにマッピングする。
【００４０】
また、多重部６６は、セルＣ５０で共通の共通参照信号（ＣＲＳ：Common  Reference  Signal）、チャネル状態測定用の参照信号（ＣＳＩ−ＲＳ：Channel  State  Information  -  Reference  Signal）及び同期信号（ＰＳＳ：Primary  Synchronisation  Signal、ＳＳＳ：Secondary  Synchronisation  Signal）を受け取る。そして、多重部６６は、共通参照信号、チャネル状態測定用の参照信号及び同期信号を所定のリソースにマッピングする。
【００４１】
ＩＦＦＴ部６７は、多重部６６から受け取った多重信号に対して、逆高速フーリエ変換処理を施すことにより、ＯＦＤＭ（Orthogonal  Frequency  Division  Multiplexing）信号を形成し、形成したＯＦＤＭ信号を送信無線部６８へ出力する。なお、ＩＦＦＴ部６７は、シンボル毎にＣＰ（Cyclic  Prefix）を付加する処理を行ってもよい。
【００４２】
送信無線部６８は、ＩＦＦＴ部６７から受け取るＯＦＤＭ信号に対して所定の送信無線処理、つまりディジタルアナログ変換、アップコンバート等を施して無線信号を形成し、形成した無線信号をアンテナを介して送信する。
【００４３】
［端末１０の構成例］
図３は、実施例１の第１の端末の一例を示すブロック図である。図３において、端末１０は、無線部１１と、受信処理部１２と、制御部１３と、データ処理部１４と、送信処理部１５とを有する。無線部１１は、受信無線部１６と、送信無線部３１とを有する。また、受信処理部１２は、ＦＦＴ部１７と、復調部１８と、復号部１９と、制御チャネル復調部２０とを有する。また、制御部１３は、セルサーチ部２１と、制御情報処理部２２と、測定用信号検出部２３と、測定用信号生成部２４とを有する。また、送信処理部１５は、多重部２５と、シンボルマッピング部２６と、多重部２７と、ＦＦＴ部２８と、周波数マッピング部２９と、ＩＦＦＴ部３０とを有する。
【００４４】
受信無線部１６は、アンテナを介して受信した受信信号に対して所定の受信無線処理、つまりダウンコンバート、アナログディジタル変換等を施し、受信無線処理後の受信信号をＦＦＴ部１７及びセルサーチ部２１へ出力する。
【００４５】
セルサーチ部２１は、受信無線処理後の受信信号に含まれる同期信号に基づいて、当該同期信号に対応するセルＩＤ（例えば、ＰＣＩ：Physical  Cell  Identification）を特定する。すなわち、セルサーチ部２１は、自局が在圏しているセルＣ５０のセルＩＤを特定する。そして、セルサーチ部２１は、特定したセルＩＤを制御情報処理部２２へ出力する。
【００４６】
ＦＦＴ部１７は、受信無線処理後の受信信号に対して高速フーリエ変換処理を施し、高速フーリエ変換処理後の受信信号を復調部１８、制御チャネル復調部２０及び測定用信号検出部２３へ出力する。
【００４７】
復調部１８は、制御チャネル復調部２０からリソース割り当て情報を受け取り、ＦＦＴ部１７から受け取る受信信号の内でリソース割り当て情報に対応するリソースにマッピングされている信号を復調し、復調後の受信信号を復号部１９へ出力する。
【００４８】
復号部１９は、制御チャネル復調部２０からリソース割り当て情報を受け取り、復調部１８から受け取る受信信号の内でリソース割り当て情報に対応するリソースにマッピングされている信号を復号し、得られる受信データを出力する。
【００４９】
制御チャネル復調部２０は、制御情報処理部２２から無線ネットワーク一時識別子を受け取り、ＦＦＴ部１７から受け取る受信信号の内でＲＮＴＩの示すＰＤＣＣＨ領域のサーチスペースに対応する部分において、自局宛の制御情報をサーチする。そして、制御チャネル復調部２０は、自局宛のリソース割り当て情報が見つかった場合、そのリソース割り当て情報を復調部１８及び復号部１９へ出力する。
【００５０】
測定用信号検出部２３は、自局の送信時間以外に他の端末１０又は端末４０から送信された測定用信号について検出処理を行い、検出結果を制御情報処理部２２へ出力する。
【００５１】
制御情報処理部２２は、復号部１９から出力された受信データから、基地局５０から送信されたＲＮＴＩを抽出し、抽出したＲＮＴＩを制御チャネル復調部２０へ出力する。
【００５２】
また、制御情報処理部２２は、第１処理区間においては、基地局５０のＰＣＩ及び無線ネットワーク一時識別子に基づいて、自局の送信時間及び測定用信号を特定する。そして、制御情報処理部２２は、測定用信号生成部２４に対して、特定した測定用信号を生成させると共に、特定した送信時間に測定用信号を出力させる。また、制御情報処理部２２は、第１処理区間における測定報告を形成し、形成した測定報告を多重部２５へ出力する。なお、測定用信号の詳細については、後に詳しく説明する。
【００５３】
また、制御情報処理部２２は、第２処理区間においては、測定用信号生成部２４に対して、受信データに含まれる測定指示の示す測定用信号を生成させると共に、その測定指示の示す送信時間に測定用信号を出力させる。また、制御情報処理部２２は、第２処理区間における測定報告を形成し、形成した測定報告を多重部２５へ出力する。この測定報告は、測定単位区間毎に形成され、基地局５０へ送信される。
【００５４】
また、制御情報処理部２２は、第３処理区間においては、測定用信号検出部２３で検出された端末４０の測定用信号についての測定報告を形成し、形成した測定報告を多重部２５へ出力する。
【００５５】
データ処理部１４は、ユーザデータを多重部２５へ出力する。
【００５６】
多重部２５は、データ処理部１４から受け取るユーザデータ及び制御情報処理部２２から受け取る各種情報を所定のリソースにマッピングすることにより多重信号を形成し、形成した多重信号をシンボルマッピング部２６へ出力する。
【００５７】
シンボルマッピング部２６は、多重部２５から受け取る多重信号をシンボルにマッピングし、得られた変調信号を多重部２７へ出力する。
【００５８】
多重部２７は、シンボルマッピング部２６から受け取る変調信号とパイロット信号とを多重し、多重信号をＦＦＴ部２８へ出力する。
【００５９】
ＦＦＴ部２８は、多重部２７から受け取った多重信号に対して高速フーリエ変換処理を施し、高速フーリエ変換処理後の多重信号を周波数マッピング部２９へ出力する。
【００６０】
周波数マッピング部２９は、ＦＦＴ部２８から受け取る多重信号を所定の周波数にマッピングし、得られた送信信号をＩＦＦＴ部３０へ出力する。
【００６１】
ＩＦＦＴ部３０は、周波数マッピング部２９から受け取る送信信号に対して、逆高速フーリエ変換処理を施すことにより、ＯＦＤＭ信号を形成し、形成したＯＦＤＭ信号を送信無線部３１へ出力する。
【００６２】
送信無線部３１は、ＩＦＦＴ部３０から受け取るＯＦＤＭ信号に対して所定の送信無線処理、つまりディジタルアナログ変換、アップコンバート等を施して無線信号を形成し、形成した無線信号をアンテナを介して送信する。
【００６３】
［端末４０の構成例］
図４は、実施例１の第２の端末の一例を示すブロック図である。図４において、端末４０は、無線部４１と、受信処理部４２と、制御部４３と、データ処理部４４と、送信処理部４５とを有する。端末４０の基本構成は、端末１０と同じである。すなわち、無線部４１は、無線部１１に対応し、受信処理部４２は、受信処理部１２に対応する。また、制御部４３は、制御部１３に対応し、データ処理部４４は、データ処理部１４に対応する。また、送信処理部４５は、送信処理部１５に対応する。
【００６４】
ただし、端末４０は、Ｄ２Ｄ通信を行わない端末であるので、第１処理区間及び第２処理区間における処理を実行しない。また、端末４０において制御部４３は、第３処理区間において基地局５０から測定用信号送信指示を受け取ると、その指示に対応する送信時間に測定用送信信号を送信処理部４５へ出力する。これにより、端末４０から測定用信号が送信される。この測定用信号は、端末４０から端末１０への干渉レベルを測定するために用いられる。
【００６５】
［通信システム１の動作例］
以上の構成を有する通信システム１の処理動作の一例について説明する。図５は、実施例１の基地局の処理動作の一例を示すフローチャートである。図６は、実施例１の通信システムの処理動作の一例を示す図である。
【００６６】
＜第１処理区間について＞
基地局５０において無線リソース制御部６０は、測定開始指示を含めた無線リソース制御情報を形成し、形成した無線リソース制御情報を端末１０へ送信する（ステップＳ１０１）。
【００６７】
端末１０は、測定開始指示を含む無線リソース制御情報を受信すると、第１処理区間における処理を開始する。まず、端末１０は、測定用信号の送信ルールに従って、測定用信号を送信する。例えば、端末１０は、セルＣ５０のＰＣＩと、端末１０に割り当てられたＲＮＴＩとに基づいて、端末１０が送信する測定用信号であるＺＣ（Zadoff-Chu）系列の番号及び巡回シフト量と、端末１０が測定用信号を送信するサブフレームのパターンとを特定する。このＺＣ系列は、端末４０がＲＡＣＨ（Random  Access  Preamble）プリアンブルとして用いるＺＣ系列と同じものである。すなわち、端末１０は測定用信号としてＲＡＣＨプリアンブルで用いられる符号系列と同種の符号系列を用いる。
【００６８】
例えば、ＲＡＣＨプリアンブルで用いるＺＣ系列の系列長ＮＺＣは、ＮＺＣ＝８３９であり、ＺＣ系列の巡回シフト量は、最大６４通りある。従って、系列長の全パターンは１０ビットで表すことができ、巡回シフト量の全パターンは６ビットで表すことができる。また、ＰＣＩは、９ビットで表され、ＲＮＴＩは、１６ビットで表される。そこで、端末１０は、ＰＣＩのビット列とＲＮＴＩの最後のビット（つまり、１６番目のビット）とから成るビット列が示す系列番号のＺＣ系列を特定する。また、端末１０は、ＲＮＴＩの１０番目のビットから１５番目のビットから成るビット列に対応する巡回シフト量を特定する。また、端末１０は、ＲＮＴＩの１番目のビットから９番目のビットから成るビット列に対応する送信サブフレームのパターンを特定する。例えば、第１処理区間においていずれかの端末１０が測定用信号を送信するサブフレームの数Ｎを１２個、１つの端末１０が第１処理区間において測定用信号を送信するサブフレームの数Ｍを４個に設定した場合、送信サブフレームのパターンの数Ｋは、４９５通りとなる。従って、９ビットのビット列であれば、送信サブフレームのパターンの全てを表すことができる。なお、図６の例では、第１処理区間においてハッチングされたフレームが送信サブフレームを含む送信フレームであり、各送信フレーム内の１０個のサブフレームの内、２番目のサブフレームが送信サブフレームである。
【００６９】
そして、端末１０は、セルＣ５０のＰＣＩと、端末１０に割り当てられたＲＮＴＩとに基づいて特定した、測定用信号及び送信サブフレームで、測定用信号を送信する。また、端末１０は、自身が測定用信号を送信していないタイミングで他の端末１０が送信している測定用信号を検出する。
【００７０】
そして、端末１０は、第１処理区間において検出した測定用信号に関する情報を測定報告として基地局５０へ送信（報告）し、基地局５０は、第１処理区間における測定報告を受信する（ステップＳ１０２）。
【００７１】
以上のように第１処理区間では、端末１０は、セルＣ５０のＰＣＩと、端末１０に割り当てられたＲＮＴＩとに基づいて、自律的に、測定用信号及び送信サブフレームを特定し、特定した測定用信号を送信サブフレームで送信する。これにより、基地局５０によって端末１０に対して測定用信号及び送信サブフレームを割り当てる処理を省略することができる。
【００７２】
また、端末１０が用いるＺＣ系列をＰＣＩによって決定するので、隣接セル間で同じＺＣ系列が使用されることを防止することができる。
【００７３】
また、端末１０は、セルＣ５０のＰＣＩに基づいて、セルＣ５０に在圏する他の端末１０が送信するＺＣ系列を特定することができる。これにより、基地局５０が端末１０に対して検出対象のＺＣ系列を通知する処理を省略することができる。
【００７４】
＜第２処理区間について＞
基地局５０において無線リソース制御部６０は、第１処理区間の測定報告を端末１０から受け取ると、その測定報告に基づいて、未だ測定されていない端末間通信路を特定し、特定した端末間通信路に対応する端末１０に対する割り当て情報（つまり、測定指示）を形成する（ステップＳ１０３）。
【００７５】
そして、無線リソース制御部６０は、測定指示を、当該測定指示に対応する端末１０へ送信する（ステップＳ１０４）。この測定指示は、上記の第１の測定単位区間についての測定指示である。
【００７６】
測定指示を受信した端末１０において制御情報処理部２２は、第１の測定単位区間において、測定用信号生成部２４に対して、測定指示の示す測定用信号を生成させると共に、その測定指示の示す送信時間に測定用信号を送信させる。
【００７７】
また、端末１０において測定用信号検出部２３は、第１の測定単位区間における自局の送信時間以外に、他の端末１０又は端末４０から送信された測定用信号について検出処理を行い、検出結果を制御情報処理部２２へ出力する。そして、制御情報処理部２２は、第１の測定単位区間における測定報告を形成し、形成した測定報告を基地局５０へ送信する。
【００７８】
そして、基地局５０において無線リソース制御部６０は、第１の測定単位区間についての測定報告を受信する（ステップＳ１０５）。
【００７９】
そして、無線リソース制御部６０は、セルＣ５０内の端末１０間の端末間通信路のすべてについての測定が完了したか否かについて判断する（ステップＳ１０６）。
【００８０】
そして、完了していないと判断した場合（ステップＳ１０６否定）、無線リソース制御部６０は、第２の測定単位区間における測定指示を形成する（ステップＳ１０３）。ここでは、無線リソース制御部６０は、第１処理区間及び第１の測定単位区間において測定されていない端末間通信路に対応する端末１０が測定用信号を送信するように、送信パターンを割り当てる。このような基地局５０による送信パターンの割り当てと、端末１０による検出結果の報告とは、セルＣ５０内の端末１０間の端末間通信路のすべてについての検出が完了するまで、行われる。すなわち、ステップＳ１０３からステップＳ１０６の処理は、セルＣ５０内の端末１０間の端末間通信路のすべてについての検出が完了するまで、繰り返される。
【００８１】
ここで、測定指示の形成、並びに、測定指示に基づく測定用信号の送信及び測定について、具体例を挙げて説明する。図７及び図８は、測定指示の形成、並びに、測定指示に基づく測定用信号の送信及び測定の一例の説明に供する図である。
【００８２】
第１処理区間が終了した時点で、６つの端末１０（図７，８におけるＵＥ１−６）の端末間通信路が測定されていないとする。この場合、基地局５０は、例えば、図７に示すように、第１の測定単位区間（同図では１回目と記載）において、ＵＥ１−３に測定用信号を送信させる測定指示を形成する。そして、基地局５０は、ＵＥ１−３に対して測定指示を送信する。そして、図８に示すように、測定指示を受け取ったＵＥ１−３は、第１の測定単位区間（同図では１回目と記載）において測定用信号を送信し、ＵＥ４−６は、ＵＥ１−３から送信された測定用信号を検出する。そして、ＵＥ４−６は、第１の測定単位区間における測定報告を基地局５０へ送信する。ここで、第１の測定単位区間における測定可能リンク（つまり、測定可能な端末間通信路）は、Ｅ１，４と、Ｅ１，５と、Ｅ１，６と、Ｅ２，４と、Ｅ２，５と、Ｅ２，６と、Ｅ３，４と、Ｅ３，５と、Ｅ３，６との９つである。なお、例えば、Ｅ１，４は、ＵＥ１とＵＥ４との間の端末間通信路を意味する。
【００８３】
そして、基地局５０は、例えば、図７に示すように、第２の測定単位区間（同図では２回目と記載）において、ＵＥ１，４に測定用信号を送信させる測定指示を形成する。そして、基地局５０は、ＵＥ１，４に対して測定指示を送信する。そして、図８に示すように、測定指示を受け取ったＵＥ１，４は、第２の測定単位区間（同図では２回目と記載）において測定用信号を送信し、ＵＥ２，３，５，６は、ＵＥ１，４から送信された測定用信号を検出する。そして、ＵＥ２，３，５，６は、第２の測定単位区間における測定報告を基地局５０へ送信する。ここで、第２の測定単位区間における新たな測定可能リンク（つまり、測定可能な端末間通信路）は、Ｅ１，２と、Ｅ１，３と、Ｅ４，５と、Ｅ４，６との４つである。
【００８４】
そして、基地局５０は、例えば、図７に示すように、第３の測定単位区間（同図では３回目と記載）において、ＵＥ２，５に測定用信号を送信させる測定指示を形成する。そして、基地局５０は、ＵＥ２，５に対して測定指示を送信する。そして、図８に示すように、測定指示を受け取ったＵＥ２，５は、第３の測定単位区間（同図では３回目と記載）において測定用信号を送信し、ＵＥ３，６は、ＵＥ２，５から送信された測定用信号を検出する。そして、ＵＥ２，５は、第２の測定単位区間における測定報告を基地局５０へ送信する。ここで、第３の測定単位区間における新たな測定可能リンク（つまり、測定可能な端末間通信路）は、Ｅ２，３と、Ｅ５，６との２つである。これで、全ての端末間通信路についての測定が完了する。
【００８５】
＜第３処理区間について＞
一方、完了したと判断した場合（ステップＳ１０６肯定）、第３処理区間が開始する。すなわち、基地局５０においてＭＡＣ制御部６１は、端末４０に対して測定用信号の送信を命じる測定用信号送信指示を含む個別制御情報を送信する（ステップＳ１０７）。
【００８６】
そして、端末４０において制御部４３は、第３処理区間において基地局５０から測定用信号送信指示を受け取ると、その指示に対応する送信時間に測定用送信信号を送信させる。
【００８７】
そして、端末１０において制御情報処理部２２は、第３処理区間において測定用信号検出部２３で検出された端末４０の測定用信号についての測定報告を形成し、形成した測定報告を基地局５０へ送信（報告）する。
【００８８】
そして、基地局５０は、端末１０から送信された、第３処理区間における測定報告を受信する（ステップＳ１０８）。
【００８９】
なお、基地局５０は、端末１０に対して、図６の測定期間（Measurement  period）Ｔ１、測定継続期間（Measurement  duration）Ｔ２、及び、測定周期（Measurement  cycle）Ｔ３を通知してもよい。基地局５０は、Ｔ１、Ｔ２及びＴ３を、例えば、端末１０の数、セル間協調結果等を基に決定してもよい。これにより、端末１０は、第１処理区間から第３処理区間までのセットを、自律的に繰り返すことができる。ただし、Ｔ２は、変わることがあるため、指定しなくてもよい。なお、測定期間（Measurement  period）Ｔ１は、第２処理区間で測定及び報告を行う単位区間である。また、測定継続期間（Measurement  duration）Ｔ２は、第１処理区間から第３処理区間までの期間である。また、測定周期（Measurement  cycle）Ｔ３は、第１処理区間から第３処理区間までのセットを繰り返す周期である。
【００９０】
以上のように本実施例によれば、端末１０において送信処理部１５は、制御部１３による制御に従って、基地局５０のセル識別情報（つまり、ＰＣＩ）及び基地局５０から割り当てられた端末識別情報（つまり、ＲＮＴＩ）に基づいて一義的に定まる測定用信号を、第１処理区間において送信する。そして、端末１０において測定用信号検出部２３は、第１処理区間において、端末１０の送信時間以外に他の端末１０から送信された測定用信号を検出する。そして、送信処理部１５は、測定用信号検出部２３で検出された測定用信号に関する情報を、基地局５０へ報告する。
【００９１】
この端末１０の構成により、端末１０が自律的に、測定用信号及び送信サブフレームを特定し、特定した測定用信号を送信サブフレームで送信することができる。これにより、基地局５０によって端末１０に対して測定用信号及び送信サブフレームを割り当てる処理を省略することができ、基地局５０の負荷を低減できると共にシグナリングを削減することができる。
【００９２】
また、この端末１０の構成により、端末１０が送信する測定用信号をセル識別情報によって決定できるので、隣接セル間で同じ測定用信号が使用されることを防止できる。
【００９３】
また、この端末１０の構成により、端末１０が、同じセル内に在圏する他の端末１０が送信する測定用信号を特定することができる。これにより、基地局５０が端末１０に対して検出対象の測定用信号を通知する処理を省略することができ、基地局５０の負荷を低減できると共にシグナリングを削減することができる。
【００９４】
また、この端末１０の構成により、第１処理区間で検出された測定用信号に関する情報を基地局５０へ報告できるので、第２処理区間が完了するまでの時間を短縮することができる。
【００９５】
また、端末１０において受信処理部１２は、基地局５０から送信された割り当て情報（つまり、送信指示）を受信する。そして、第２処理区間の第１の測定単位区間において、測定用信号検出部２３は、受信した割り当て情報が示す送信時間以外で他の端末１０が送信した測定用信号を、検出する。そして、送信処理部１５は、測定用信号検出部２３で検出された測定用信号に関する情報を、基地局５０へ報告する。
【００９６】
この端末１０の構成により、第１の測定単位区間における測定結果を基地局５０に報告することができる。
【００９７】
また、基地局５０において受信処理部５２が、第２処理区間の第１の測定単位区間において端末１０が検出した他の端末１０からの測定用信号に関する報告を受信する。そして、制御部５３が、受信した報告に基づいて、第２の測定単位区間における割り当て情報（つまり、測定指示）を形成し、送信処理部５４に送信させる。
【００９８】
この基地局５０の構成により、第２の測定単位区間において測定用信号を送信させる端末１０及びその測定用信号を検出させる端末１０を適切に制御することができる。この結果として、端末間通信路の品質測定を効率化することができる。
【００９９】
また、基地局５０において制御部５３は、第３処理区間において端末４０に測定用信号を送信させる指示を、送信処理部５４に送信させる。端末４０が送信する測定用信号は、端末１０が送信する測定用信号と同種のものである。
【０１００】
この基地局５０の構成により、端末１０は端末４０による干渉レベルを測定することができる。また、端末４０が送信する測定用信号と、端末１０が送信する測定用信号とが同種なので、基地局５０は、端末１０から送信された信号が端末４０から送信された信号に与える干渉レベルを測定することができる。
【０１０１】
［実施例２］
実施例１では、端末１０が測定用信号の送信及び測定を行う第１処理期間が設けられている。これに対して、実施例２は、第１処理区間を設けない実施例である。実施例２の基地局及び端末の基本構成は、実施例１の基地局５０及び端末１０，４０と基本的に同じであるので、図２，３，４を用いて説明する。
【０１０２】
図９は、実施例２の基地局の処理動作の一例を示すフローチャートである。図１０は、実施例２の通信システムの処理動作の一例を示す図である。
【０１０３】
＜第２処理区間について＞
基地局５０において無線リソース制御部６０は、第１の測定単位期間における端末１０に対する割り当て情報（つまり、測定指示）を形成する（ステップＳ２０１）。
【０１０４】
そして、無線リソース制御部６０は、測定指示を、当該測定指示に対応する端末１０へ送信する（ステップＳ２０２）。
【０１０５】
測定指示を受信した端末１０において制御情報処理部２２は、第１の測定単位区間において、測定用信号生成部２４に対して、測定指示の示す測定用信号を生成させると共に、その測定指示の示す送信時間に測定用信号を送信させる。なお、図１０の例では、第２処理区間においてハッチングされたフレームが送信サブフレームを含む送信フレームであり、各送信フレーム内の１０個のサブフレームの内、２番目のサブフレームが送信サブフレームである。
【０１０６】
また、端末１０において測定用信号生成部２４は、第１の測定単位区間における自局の送信時間以外に、他の端末１０又は端末４０から送信された測定用信号について検出処理を行い、検出結果を制御情報処理部２２へ出力する。そして、制御情報処理部２２は、第１の測定単位区間における測定報告を形成し、形成した測定報告を基地局５０へ送信する。
【０１０７】
そして、基地局５０において無線リソース制御部６０は、第１の測定単位区間についての測定報告を受信する（ステップＳ２０３）。
【０１０８】
そして、無線リソース制御部６０は、セルＣ５０内の端末１０間の端末間通信路のすべてについての測定が完了したか否かについて判断する（ステップＳ２０４）。
【０１０９】
そして、完了していないと判断した場合（ステップＳ２０４否定）、無線リソース制御部６０は、第２の測定単位区間における測定指示を形成する（ステップＳ２０１）。ここでは、無線リソース制御部６０は、第１処理区間及び第１の測定単位区間において測定されていない端末間通信路に対応する端末１０が測定用信号を送信するように、送信パターンを割り当てる。このような基地局５０による送信パターンの割り当てと、端末１０による検出結果の報告とは、セルＣ５０内の端末１０間の端末間通信路のすべてについての検出が完了するまで、行われる。すなわち、ステップＳ２０１からステップＳ２０４の処理は、セルＣ５０内の端末１０間の端末間通信路のすべてについての検出が完了するまで、繰り返される。
【０１１０】
＜第３処理区間について＞
一方、完了したと判断した場合（ステップＳ２０４肯定）、第３処理区間が開始する。すなわち、基地局５０においてＭＡＣ制御部６１は、端末４０に対して測定用信号の送信を命じる測定用信号送信指示を含む個別制御情報を送信する（ステップＳ２０５）。
【０１１１】
そして、端末４０において制御部４３は、第３処理区間において基地局５０から測定用信号送信指示を受け取ると、その指示に対応する送信時間に測定用送信信号を送信させる。
【０１１２】
そして、端末１０において制御情報処理部２２は、第３処理区間において測定用信号検出部２３で検出された端末４０の測定用信号についての測定報告を形成し、形成した測定報告を基地局５０へ送信（報告）する。
【０１１３】
そして、基地局５０は、端末１０から送信された、第３処理区間における測定報告を受信する（ステップＳ２０６）。
【０１１４】
以上のように本実施例によれば、端末１０において受信処理部１２は、基地局５０から送信された割り当て情報（つまり、送信指示）を受信する。そして、第２処理区間の第１の測定単位区間において、測定用信号検出部２３は、受信した割り当て情報が示す送信時間以外で他の端末１０が送信した測定用信号を、検出する。そして、送信処理部１５は、測定用信号検出部２３で検出された測定用信号に関する情報を、基地局５０へ報告する。
【０１１５】
この端末１０の構成により、第１の測定単位区間における測定結果を基地局５０に報告することができる。
【０１１６】
また、基地局５０において受信処理部５２が、第２処理区間の第１の測定単位区間において端末１０が検出した他の端末１０からの測定用信号に関する報告を受信する。そして、制御部５３が、受信した報告に基づいて、第２の測定単位区間における割り当て情報（つまり、測定指示）を形成し、送信処理部５４に送信させる。
【０１１７】
この基地局５０の構成により、第２の測定単位区間において測定用信号を送信させる端末１０及びその測定用信号を検出させる端末１０を適切に制御することができる。この結果として、端末間通信路の品質測定を効率化することができる。
【０１１８】
また、基地局５０において制御部５３は、第３処理区間において端末４０に測定用信号を送信させる指示を、送信処理部５４に送信させる。端末４０が送信する測定用信号は、端末１０が送信する測定用信号と同種のものである。
【０１１９】
この基地局５０の構成により、端末１０は端末４０による干渉レベルを測定することができる。また、端末４０が送信する測定用信号と、端末１０が送信する測定用信号とが同種なので、基地局５０は、端末１０から送信された信号が端末４０から送信された信号に与える干渉レベルを測定することができる。
【０１２０】
［実施例３］
実施例１及び実施例２では、端末１０は、基地局５０からの指示、又は、基地局５０のセル識別情報及び端末１０が基地局５０から割り当てられた端末識別情報に基づいて、測定用信号を送信している。これに対して、実施例３では、端末が端末自身でランダムに発生させた乱数に基づいて、測定用信号を送信する。すなわち、実施例１及び実施例２では、端末１０が基地局５０のセルの圏内に存在することを前提としている。これに対して、実施例３では、端末が、基地局のセルの圏内に存在していてもよいし、圏外に存在していてもよい。また、実施例３では、端末間で同期が確立されていることを前提としている。例えば、１つの端末が送信した同期信号に基づいて、他の端末がその１つの端末との間の同期を確立する。
【０１２１】
［通信システムの概要］
図１１は、実施例３の通信システムの一例を示す図である。図１１において、通信システム２は、端末７０と、端末１００とを有する。端末７０と端末１００とは同じ基本構成を有する端末であるが、ここでは、端末７０を、周辺に存在する端末を見つける処理を始める「第１の端末」、つまり測定用信号を送信する「第１の端末」とし、端末１００を、その測定用端末を受信する「第２の端末」としている。従って、端末１００が第１の端末として動作し、端末７０が第２の端末として動作する場合もある。なお、図１１では、２つの端末７０及び端末１００のみを示しているが、通信システム２に含まれる端末の数はこれに限定されるものではない。通信システム２に含まれる各端末は、上記の第１の端末及び第２の端末のいずれとしても動作することができる。
【０１２２】
端末７０は、端末７０自身がランダムに決定した乱数値に基づいて一義的に定まる、「測定用信号に関する情報」を特定する。すなわち、乱数値と「測定用信号に関する情報」とは、所定のルールによって対応づけられている。例えば、端末７０は、「測定用信号に関する情報」として、少なくとも、測定用信号として用いられる系列の識別情報（例えば、ＺＣ系列の系列番号）を特定する。また、「測定用信号に関する情報」には、上記の系列の巡回シフト量が含まれてもよい。さらに、端末７０は、端末７０自身がランダムに決定した乱数値に基づいて一義的に定まる「送信時間」を特定してもよい。なお、乱数値の代わりに、端末毎に固有の識別子（例えば、ＩＭＥＩ（International  Mobile  Equipment  Identifier）、又は、ＵＳＩＭ（Universal  Subscriber  Identification  Module）毎に固有のＩＭＳＩ（International  Mobile  Subscriber  Identity））が用いられてもよい。
【０１２３】
そして、端末７０は、特定した「測定用信号に関する情報」に対応する測定用信号を送信する。ここで、図１１においてエリアＡ７０は、端末７０から送信された信号が所定の電力値以上で届く範囲を示している。図１１では、エリアＡ７０の中に端末１００が存在しているので、端末７０から送信された測定用信号は、端末１００まで届く。
【０１２４】
そして、端末１００は、端末７０から送信された測定用信号を受信する。そして、端末１００は、受信した測定用信号に対応づけられた値を算出する。すなわち、端末１００は、上記の乱数値を逆算することを試みる。そして、端末１００は、算出した値及び端末１００の識別情報を含み、且つ、受信した測定用信号に対する応答信号を送信する。
【０１２５】
そして、端末７０は、端末１００から送信された応答信号を受信する。ここで、端末７０は、端末７０自身が決定した上記の乱数値と、応答信号に含まれた値とが一致する場合、その応答信号が端末７０宛ての信号であることを認識することができる。すなわち、上記の乱数値が「宛先情報」として用いられる。
【０１２６】
そして、端末７０自身が決定した上記の乱数値と、応答信号と共に受信した値とが一致する場合、端末７０は、端末７０の「詳細サービス情報」を、端末１００の識別情報と共に送信する。ここで、端末７０の「詳細サービス情報」には、少なくとも、端末７０の物理識別子（つまり、物理デバイスＩＤ）が含まれる。物理デバイスＩＤは、例えば、ＩＰアドレスである。また、端末７０の「詳細サービス情報」には、サービスタイプ識別子（つまり、サービスタイプＩＤ）が含まれてもよい。サービスタイプＩＤは、例えば、実行対象のアプリケーションを特定するアプリケーションＩＤである。
【０１２７】
そして、端末１００は、端末７０から送信された「詳細サービス情報」及び端末１００の識別情報を受信する。ここで、端末１００は、端末７０から送信された詳細サービス情報と共に端末１００の識別情報を受信することにより、その詳細サービス情報が端末１００宛てに送信されたことを認識することができる。すなわち、端末１００の識別情報が宛先情報として用いられている。そして、詳細サービス情報に含まれる端末７０の物理識別子（つまり、端末７０の識別情報）は送信元情報として用いられている。
【０１２８】
そして、端末１００は、端末７０の詳細サービス情報に基づいて端末７０を通信相手として認めるか否かを決定する。例えば、端末７０の詳細サービス情報にサービスタイプ識別子が含まれている場合には、端末１００は、そのサービスタイプ識別子に対応するアプリケーションを端末１００自身が実行可能であるか否かに基づいて、端末７０を通信相手として認めるか否かを決定する。
【０１２９】
そして、端末１００は、端末７０を通信相手として認めた場合、端末１００の「詳細サービス情報」を、端末７０の識別情報と共に送信する。端末１００の「詳細サービス情報」には、少なくとも、端末１００の物理識別子（つまり、端末１００の識別情報）が含まれる。物理デバイスＩＤは、例えば、ＩＰアドレスである。また、端末１００の「詳細サービス情報」には、サービスタイプ識別子（つまり、サービスタイプＩＤ）が含まれてもよい。サービスタイプＩＤは、例えば、実行対象のアプリケーションを特定するアプリケーションＩＤである。
【０１３０】
そして、端末７０は、端末１００の詳細サービス情報に基づいて端末１００を通信相手として認めるか否かを決定する。例えば、端末１００の詳細サービス情報にサービスタイプ識別子が含まれている場合には、端末７０は、そのサービスタイプ識別子に対応するアプリケーションを端末７０自身が実行可能であるか否かに基づいて、端末１００を通信相手として認めるか否かを決定する。
【０１３１】
そして、端末７０は、端末１００を通信相手として認めた場合、端末１００の識別情報、「リソース割り当て情報」及びデータ信号を端末１００へ送信する。端末７０から送信されるリソース割り当て情報は、端末７０から送信されるデータ信号がマッピングされているリソースを示す。従って、端末１００は、端末１００宛てのリソース割り当て情報を受信すると、このリソース割り当て情報が示すリソースにマッピングされたデータ信号を受信信号から抽出する。
【０１３２】
そして、端末１００は、端末７０の識別情報、「リソース割り当て情報」及びデータ信号を端末７０へ送信する。端末１００から送信されるリソース割り当て情報は、端末１００から送信されるデータ信号がマッピングされているリソースを示す。従って、端末７０は、端末７０宛てのリソース割り当て情報を受信すると、このリソース割り当て情報が示すリソースにマッピングされたデータ信号を受信信号から抽出する。
【０１３３】
以上のようにして、端末７０と端末１００とは、基地局を介することなく、Ｄ２Ｄ通信を開始することができる。また、端末７０がランダムに決定した乱数値に応じた測定用信号を送信するので、端末７０の測定用信号が他の端末７０の測定用信号と重複する可能性を低減できる。この結果として、端末７０が端末７０の周辺に存在する端末を効率的に発見できると共に、端末７０と発見された端末との間の通信路の品質測定を効率的に実行することができる。
【０１３４】
［第１の端末の構成例］
図１２は、実施例３の第１の端末の一例を示すブロック図である。図１２において、端末７０は、制御部７１と、データ処理部７２と、送信処理部７３と、無線部７４と、受信処理部７５とを有する。また、制御部７１は、制御情報処理部７６と、測定用信号生成部７７と、キャリアセンス部７８と、応答信号検出部７９とを有する。また、送信処理部７３は、多重部８０と、シンボルマッピング部８１と、多重部８２と、ＦＦＴ部８３と、周波数マッピング部８４と、ＩＦＦＴ部８５とを有する。また、無線部７４は、送信無線部８６と、受信無線部８７とを有する。また、受信処理部７５は、ＦＦＴ部８８と、等化部８９と、ＩＦＦＴ部９０と、制御チャネル復調部９１と、復調部９２と、復号部９３とを有する。
【０１３５】
制御情報処理部７６は、乱数値をランダムに決定し、決定した乱数値に基づいて、端末７０自身の送信時間及び測定用信号を特定する。そして、制御情報処理部７６は、測定用信号生成部７７に対して、特定した測定用信号を生成させると共に、特定した送信時間に測定用信号を出力させる。
【０１３６】
また、制御情報処理部７６は、送信した測定用信号に応じて端末１００から送信された、端末７０宛ての応答信号が応答信号検出部７９で検出されると、端末７０の詳細サービス情報を、応答信号に含まれていた端末１００の識別情報と共に多重部８０へ出力する。この端末７０の詳細サービス情報は、応答信号に無線リソース情報が含まれている場合、その無線リソース情報の示すリソースにマッピングされて、端末１００の識別情報と共に送信されてもよい。また、応答信号に無線リソース情報が含まれていない場合、端末７０の詳細サービス情報は、キャリアセンス部７８での検出電力値が所定値以下であるタイミング、つまり、端末７０以外の端末による送信が行われていないタイミングで送信されてもよい。すなわち、端末７０の詳細情報は、ＣＳＭＡ／ＣＡ（Carrier  Sense  Multiple  Access  /  Collision  Avoidance）方式によって送信されてもよい。なお、上記の通り、端末７０の詳細サービス情報には、少なくとも、端末７０の物理識別子（つまり、物理デバイスＩＤ）が含まれる。また、端末７０の「詳細サービス情報」には、サービスタイプ識別子（つまり、サービスタイプＩＤ）が含まれてもよい。さらに、端末７０の詳細サービス情報には、端末１００による詳細サービス情報の送信に用いさせる無線リソースの情報、及び、端末７０の送信電力に関する情報を含まれてもよい。
【０１３７】
また、制御情報処理部７６は、送信した詳細サービス情報に応じて端末１００から送信された、端末７０宛ての端末１００の詳細サービス情報が応答信号検出部７９で検出されると、端末１００を通信相手として認めるか否かを決定する。そして、端末１００を通信相手として認めた場合、制御情報処理部７６は、端末１００の識別情報及びリソース割り当て情報を多重部８０へ出力する。なお、測定用信号の詳細については、後に詳しく説明する。
【０１３８】
キャリアセンス部７８は、受信無線部８７から出力された受信信号に基づいて、キャリアセンス処理を行う。すなわち、キャリアセンス部７８は、受信信号の受信電力を測定し、測定結果を制御情報処理部７６へ出力する。
【０１３９】
応答信号検出部７９は、復号部９３から出力された受信データを入力し、端末７０宛てに端末１００から送信された、応答信号及び詳細サービス情報を検出する。そして、応答信号検出部７９は、検出した応答信号及び詳細サービス情報を制御情報処理部７６へ出力する。なお、応答信号に含まれた値が制御情報処理部７６で決定した乱数値と一致する場合、応答信号検出部７９は、その応答信号が端末７０宛てであることを認識する。また、詳細サービス情報と共に端末７０の識別情報を受信した場合、応答信号検出部７９は、その詳細サービス情報が端末７０宛てであることを認識する。
【０１４０】
データ処理部７２は、ユーザデータを多重部８０へ出力する。
【０１４１】
多重部８０は、データ処理部７２から受け取るユーザデータ及び制御情報処理部７６から受け取る各種情報を所定のリソースにマッピングすることにより多重信号を形成し、形成した多重信号をシンボルマッピング部８１へ出力する。
【０１４２】
シンボルマッピング部８１は、多重部８０から受け取る多重信号をシンボルにマッピングし、得られた変調信号を多重部８２へ出力する。
【０１４３】
多重部８２は、例えば、シンボルマッピング部８１から受け取る変調信号と測定用信号生成部７７から受け取る測定用信号とパイロット信号及び同期信号とを多重し、多重信号をＦＦＴ部８３へ出力する。
【０１４４】
ＦＦＴ部８３は、多重部８２から受け取った多重信号に対して高速フーリエ変換処理を施し、高速フーリエ変換処理後の多重信号を周波数マッピング部８４へ出力する。
【０１４５】
周波数マッピング部８４は、ＦＦＴ部８３から受け取る多重信号を所定の周波数にマッピングし、得られた送信信号をＩＦＦＴ部８５へ出力する。
【０１４６】
ＩＦＦＴ部８５は、周波数マッピング部８４から受け取る送信信号に対して、逆高速フーリエ変換処理を施すことにより、ＯＦＤＭ信号を形成し、形成したＯＦＤＭ信号を送信無線部８６へ出力する。
【０１４７】
送信無線部８６は、ＩＦＦＴ部８５から受け取るＯＦＤＭ信号に対して所定の送信無線処理、つまりディジタルアナログ変換、アップコンバート等を施して無線信号を形成し、形成した無線信号をアンテナを介して送信する。
【０１４８】
受信無線部８７は、アンテナを介して受信した受信信号に対して所定の受信無線処理、つまりダウンコンバート、アナログディジタル変換等を施し、受信無線処理後の受信信号をＦＦＴ部８８及びキャリアセンス部７８へ出力する。
【０１４９】
ＦＦＴ部８８は、受信無線処理後の受信信号に対して高速フーリエ変換処理を施し、高速フーリエ変換処理後の受信信号を等化部８９へ出力する。
【０１５０】
等化部８９は、ＦＦＴ部８８から受け取る高速フーリエ変換処理後の受信信号に対して、周波数等化処理を実行し、周波数等化処理後の受信信号をＩＦＦＴ部９０へ出力する。
【０１５１】
ＩＦＦＴ部９０は、等化部８９から受け取る周波数等化処理後の受信信号に対して、逆高速フーリエ変換処理を施し、逆高速フーリエ変換処理後の受信信号を制御チャネル復調部９１及び復調部９２へ出力する。
【０１５２】
復調部９２は、制御チャネル復調部９１からリソース割り当て情報を受け取り、ＩＦＦＴ部９０から受け取る受信信号の内でリソース割り当て情報に対応するリソースにマッピングされている信号を復調し、復調後の受信信号を復号部９３へ出力する。
【０１５３】
復号部９３は、制御チャネル復調部９１からリソース割り当て情報を受け取り、復調部９２から受け取る受信信号の内でリソース割り当て情報に対応するリソースにマッピングされている信号を復号し、得られる受信データを出力する。
【０１５４】
制御チャネル復調部９１は、ＩＦＦＴ部９０から受け取る受信信号の内で端末７０宛ての制御情報をサーチする。そして、制御チャネル復調部９１は、端末７０宛のリソース割り当て情報が見つかった場合、そのリソース割り当て情報を復調部９２及び復号部９３へ出力する。
【０１５５】
［第２の端末の構成例］
図１３は、実施例３の第２の端末の一例を示すブロック図である。図１３において、端末１００は、無線部１０１と、制御部１０２と、データ処理部１０３と、送信処理部１０４と、受信処理部１０５とを有する。また、制御部１０２は、測定用信号検出部１０６と、制御情報処理部１０７と、キャリアセンス部１０８と、応答信号検出部１０９とを有する。また、送信処理部１０４は、多重部１１０と、シンボルマッピング部１１１と、多重部１１２と、ＦＦＴ部１１３と、周波数マッピング部１１４と、ＩＦＦＴ部１１５とを有する。また、無線部１０１は、送信無線部１１６と、受信無線部１１７とを有する。また、受信処理部１０５は、ＦＦＴ部１１８と、等化部１１９と、ＩＦＦＴ部１２０と、制御チャネル復調部１２１と、復調部１２２と、復号部１２３とを有する。
【０１５６】
測定用信号検出部１０６は、受信無線部１１７から受け取る受信信号の内で、測定用信号を検出する。測定用信号検出部１０６は、例えば、測定用信号の識別情報及び巡回シフト量を検出する。そして、測定用信号検出部１０６は、検出結果を制御情報処理部１０７へ出力する。
【０１５７】
制御情報処理部１０７は、測定用信号検出部１０６から受け取る検出結果に基づいて、検出した測定用信号に対応する値を算出する。すなわち、制御情報処理部１０７は、上記の乱数値を逆算することを試みる。そして、制御情報処理部１０７は、算出した値及び端末１００の識別情報を含み、且つ、受信した測定用信号に対する応答信号を多重部１１０へ出力する。なお、応答信号は、測定用信号が受信されたタイミングから予め決められた時間経過時に送信されてもよい。又は、応答信号は、キャリアセンス部１０８での検出電力値が所定値以下であるタイミング、つまり、端末１００以外の端末による送信が行われていないタイミングで送信されてもよい。すなわち、応答信号は、ＣＳＭＡ／ＣＡ（Carrier  Sense  Multiple  Access  /  Collision  Avoidance）方式によって送信されてもよい。
【０１５８】
また、制御情報処理部１０７は、送信した応答信号に応じて端末７０から送信された、端末１００宛ての端末７０の詳細サービス情報が応答信号検出部１０９で検出されると、端末７０を通信相手として認めるか否かを決定する。そして、端末７０を通信相手として認めた場合、制御情報処理部１０７は、端末７０の識別情報及び端末１００の詳細サービス情報を多重部１１０へ出力する。この端末１００の詳細サービス情報は、端末７０の詳細サービス情報に無線リソース情報が含まれている場合、その無線リソース情報の示すリソースにマッピングされて、端末７０の識別情報と共に送信されてもよい。また、端末７０の詳細サービス情報に無線リソース情報が含まれていない場合、端末１００の詳細サービス情報は、キャリアセンス部１０８での検出電力値が所定値以下であるタイミング、つまり、端末１００以外の端末による送信が行われていないタイミングで送信されてもよい。すなわち、端末１００の詳細情報は、ＣＳＭＡ／ＣＡ方式によって送信されてもよい。なお、上記の通り、端末１００の詳細サービス情報には、少なくとも、端末１００の物理識別子（つまり、物理デバイスＩＤ）が含まれる。また、端末１００の「詳細サービス情報」には、サービスタイプ識別子（つまり、サービスタイプＩＤ）が含まれてもよい。さらに、端末１００の詳細サービス情報には、端末７０による詳細サービス情報の送信に用いさせる無線リソースの情報、及び、端末１００の送信電力に関する情報を含まれてもよい。
【０１５９】
また、制御情報処理部１０７は、端末７０からリソース割り当て情報及びデータを受信すると、端末７０の識別情報及びリソース割り当て情報を多重部１１０へ出力する。
【０１６０】
キャリアセンス部１０８は、受信無線部１１７から出力された受信信号に基づいて、キャリアセンス処理を行う。すなわち、キャリアセンス部１０８は、受信信号の受信電力を測定し、測定結果を制御情報処理部１０７へ出力する。
【０１６１】
応答信号検出部１０９は、復号部１２３から出力された受信データを入力し、端末１００宛てに端末７０から送信された詳細サービス情報を検出する。そして、応答信号検出部１０９は、検出した詳細サービス情報を制御情報処理部１０７へ出力する。なお、詳細サービス情報と共に端末１００の識別情報を受信した場合、応答信号検出部１０９は、その詳細サービス情報が端末１００宛てであることを認識する。
【０１６２】
データ処理部１０３は、ユーザデータを多重部１１０へ出力する。
【０１６３】
多重部１１０は、データ処理部１０３から受け取るユーザデータ及び制御情報処理部１０７から受け取る各種情報を所定のリソースにマッピングすることにより多重信号を形成し、形成した多重信号をシンボルマッピング部１１１へ出力する。
【０１６４】
シンボルマッピング部１１１は、多重部１１０から受け取る多重信号をシンボルにマッピングし、得られた変調信号を多重部１１２へ出力する。
【０１６５】
多重部１１２は、例えば、シンボルマッピング部１１１から受け取る変調信号と、パイロット信号及び同期信号とを多重し、多重信号をＦＦＴ部１１３へ出力する。
【０１６６】
ＦＦＴ部１１３は、多重部１１２から受け取った多重信号に対して高速フーリエ変換処理を施し、高速フーリエ変換処理後の多重信号を周波数マッピング部１１４へ出力する。
【０１６７】
周波数マッピング部１１４は、ＦＦＴ部１１３から受け取る多重信号を所定の周波数にマッピングし、得られた送信信号をＩＦＦＴ部１１５へ出力する。
【０１６８】
ＩＦＦＴ部１１５は、周波数マッピング部１１４から受け取る送信信号に対して、逆高速フーリエ変換処理を施すことにより、ＯＦＤＭ信号を形成し、形成したＯＦＤＭ信号を送信無線部１１６へ出力する。
【０１６９】
送信無線部１１６は、ＩＦＦＴ部１１５から受け取るＯＦＤＭ信号に対して所定の送信無線処理、つまりディジタルアナログ変換、アップコンバート等を施して無線信号を形成し、形成した無線信号をアンテナを介して送信する。
【０１７０】
受信無線部１１７は、アンテナを介して受信した受信信号に対して所定の受信無線処理、つまりダウンコンバート、アナログディジタル変換等を施し、受信無線処理後の受信信号をＦＦＴ部１１８、測定用信号検出部１０６、及びキャリアセンス部１０８へ出力する。
【０１７１】
ＦＦＴ部１１８は、受信無線処理後の受信信号に対して高速フーリエ変換処理を施し、高速フーリエ変換処理後の受信信号を等化部１１９へ出力する。
【０１７２】
等化部１１９は、ＦＦＴ部１１８から受け取る高速フーリエ変換処理後の受信信号に対して、周波数等化処理を実行し、周波数等化処理後の受信信号をＩＦＦＴ部１２０へ出力する。
【０１７３】
ＩＦＦＴ部１２０は、等化部１１９から受け取る周波数等化処理後の受信信号に対して、逆高速フーリエ変換処理を施し、逆高速フーリエ変換処理後の受信信号を制御チャネル復調部１２１及び復調部１２２へ出力する。
【０１７４】
復調部１２２は、制御チャネル復調部１２１からリソース割り当て情報を受け取り、ＩＦＦＴ部１２０から受け取る受信信号の内でリソース割り当て情報に対応するリソースにマッピングされている信号を復調し、復調後の受信信号を復号部１２３へ出力する。
【０１７５】
復号部１２３は、制御チャネル復調部１２１からリソース割り当て情報を受け取り、復調部１２２から受け取る受信信号の内でリソース割り当て情報に対応するリソースにマッピングされている信号を復号し、得られる受信データを出力する。
【０１７６】
制御チャネル復調部１２１は、ＩＦＦＴ部１２０から受け取る受信信号の内で端末１００宛ての制御情報をサーチする。そして、制御チャネル復調部１２１は、端末１００宛のリソース割り当て情報が見つかった場合、そのリソース割り当て情報を復調部１２２及び復号部１２３へ出力する。
【０１７７】
［通信システムの動作例］
図１４は、実施例３の通信システムの処理動作の一例の説明に供する図である。
【０１７８】
端末７０において制御情報処理部７６は、乱数値をランダムに決定する（ステップＳ３０１）。例えば、制御情報処理部７６は、乱数値Ｘ１及び乱数値Ｘ２を決定する。乱数値Ｘ１は、例えば、１２ビットである。そして、乱数値Ｘ１の１２ビットの内の９ビットは、８３９通りのＺＣ系列のいずれかの系列番号に対応し、残りの３ビットは、８通りの巡回シフト量のいずれかと対応する。また、乱数値Ｘ２は、９ビットであり、送信サブフレームのパターンのいずれかと対応する。
【０１７９】
そして、端末７０は、乱数値Ｘ１に対応する測定用信号を生成し（ステップＳ３０２）、生成した測定用信号を送信サブフレームのパターンに従って送信する（ステップＳ３０３）。なお、測定用信号は、測定用信号のためのチャネル上で送信されてもよい。
【０１８０】
端末１００において測定用信号検出部１０６は、端末７０から送信された測定用信号を検出する。この検出処理は、上記の測定用信号のためのチャネル上で実行されてもよい。
【０１８１】
そして、制御情報処理部１０７は、測定用信号検出部１０６から受け取る検出結果に基づいて、検出した測定用信号に対応する値を算出する。すなわち、制御情報処理部１０７は、上記の乱数値Ｘ１を逆算することを試みる。
【０１８２】
そして、制御情報処理部１０７は、算出した値及び端末１００の識別情報を含み、且つ、受信した測定用信号に対する応答信号を生成し（ステップＳ３０４）、生成した応答信号を送信処理部１０４に送信させる（ステップＳ３０５）。なお、この応答信号は、上記の測定用信号のためのチャネル上で送信されてもよいし、他のチャネルで送信されてもよい。
【０１８３】
そして、端末７０において応答信号検出部７９は、端末７０宛てに端末１００から送信された応答信号を検出する。この検出処理は、上記の測定用信号のためのチャネル上で実行されてもよいし、上記の他のチャネルで実行されてもよい。そして、制御情報処理部７６は、端末７０の詳細サービス情報を、応答信号に含まれていた端末１００の識別情報と共に送信処理部７３に送信させる（ステップＳ３０６）。
【０１８４】
そして、端末１００において応答信号検出部１０９は、端末１００宛てに端末７０から送信された詳細サービス情報を検出する。そして、制御情報処理部１０７は、端末７０の識別情報及び端末１００の詳細サービス情報を送信処理部１０４に送信させる（ステップＳ３０７）。
【０１８５】
そして、端末７０において制御情報処理部７６は、端末１００を通信相手とするかを決定する（ステップＳ３０８）。そして、端末１００を通信相手と決定した場合、制御情報処理部７６は、端末１００の識別情報及びリソース割り当て情報を送信処理部７３に送信させる（ステップＳ３０９）。
【０１８６】
そして、端末１００において制御情報処理部１０７は、端末７０からリソース割り当て情報及びデータを受信すると、端末７０の識別情報及びリソース割り当て情報を送信処理部１０４に送信させる（ステップＳ３１０）。
【０１８７】
図１５は、実施例３の通信システムの処理動作の一例の説明に供する図である。特に、図１５では、複数の端末７０から同時期に同じ測定用信号が送信されるケースの処理動作が示されている。
【０１８８】
図１５に示すように、端末１００は、端末７０−１，２において同時期に生成されて送信された測定用信号を受信する（ステップＳ３０１−１，２、ステップＳ３０２−１，２、ステップＳ３０３−１，２）。
【０１８９】
そして、制御情報処理部１０７は、検出した測定用信号に基づいて算出した値及び端末１００の識別情報を含み、且つ、検出した測定用信号に対する応答信号を生成し（ステップＳ３０４）、生成した応答信号を送信処理部１０４に送信させる（ステップＳ３０５）。
【０１９０】
そして、端末７０−１，２において応答信号検出部７９は、端末７０−１，２宛てに端末１００から送信された応答信号を検出する。そして、制御情報処理部７６は、端末７０−１，２の詳細サービス情報を、応答信号に含まれていた端末１００の識別情報と共に送信処理部７３に送信させる（ステップＳ３０６−１，２）。
【０１９１】
そして、端末１００において制御情報処理部１０７は、端末７０−１，２の中から通信相手を決定する（ステップＳ４０１）。ここでは、端末７０−１が通信相手として選ばれたものとする。
【０１９２】
そして、制御情報処理部１０７は、通信相手として決定した端末７０−１の識別情報及び端末１００の詳細サービス情報を送信処理部１０４に送信させる（ステップＳ３０７）。なお、端末１００の詳細サービス情報は、端末７０−１と共に送信される一方、端末７０−２と共に送信されないので、端末７０−２は、端末７０−２宛ての詳細サービス情報が送信されていないことを認識することができる。
【０１９３】
そして、端末７０−１において制御情報処理部７６は、端末１００を通信相手とするかを決定する（ステップＳ３０８）。そして、端末１００を通信相手と決定した場合、制御情報処理部７６は、端末１００の識別情報及びリソース割り当て情報を送信処理部７３に送信させる（ステップＳ３０９）。
【０１９４】
そして、端末１００において制御情報処理部１０７は、端末７０−１からリソース割り当て情報及びデータを受信すると、端末７０−１の識別情報及びリソース割り当て情報を送信処理部１０４に送信させる（ステップＳ３１０）。
【０１９５】
以上のように本実施例によれば、端末７０において制御部７１は、端末７０自身がランダムに決定した乱数値、又は、端末７０に対して固有に割り当てられた識別子の値（例えば、ＩＭＥＩ又はＩＭＳＩ）に基づいて一義的に定まる、測定用信号に関する情報を特定する。そして、送信処理部７３は、制御部７１で特定された測定用信号を送信する。
【０１９６】
この端末７０の構成により、端末７０がランダムに決定した乱数値、又は、端末７０に対して固有に割り当てられた識別子の値に応じた測定用信号を送信するので、端末７０の測定用信号が他の端末７０の測定用信号と重複する可能性を低減できる。この結果として、端末７０が端末７０の周辺に存在する端末を効率的に発見できると共に、端末７０と発見された端末との間の通信路の品質測定を効率的に実行することができる。
【０１９７】
そして、制御部７１は、測定用信号に関する情報として、少なくとも測定用信号として用いられる系列の識別情報を特定する。例えば、制御部７１は、測定用信号に関する情報として、測定用信号として用いられる系列の識別情報、系列の巡回シフト量、及び、測定用信号が送信されるサブフレームのパターンを特定する。
【０１９８】
また、端末７０において受信処理部７５は、送信した測定用信号に応じて端末１００から送信され、且つ、端末１００によって受信された測定用信号に基づいて逆算された値及び端末１００の識別情報を含む応答信号を受信する。そして、送信処理部７３は、受信処理部７５で応答信号が受信された場合、端末７０の物理識別子を少なくとも含む詳細サービス情報を端末１００の識別情報と共に送信する。
【０１９９】
また、端末１００において測定用信号検出部１０６は、端末１００から送信された測定用信号を検出し、制御情報処理部１０７は、測定用信号検出部１０６で検出された測定用信号に対応づけられた値を算出する。そして、送信処理部１０４は、制御情報処理部１０７で算出された値及び端末１００の識別情報を含み、且つ、測定用信号検出部１０６で検出された測定用信号に対する応答信号を送信する。
【０２００】
この端末１００の構成により、端末７０は乱数値に基づいて応答信号が端末７０宛てのものであるか否かを判定することができる。
【０２０１】
また、端末１００において受信処理部１０５は、応答信号に対する応答として端末７０から送信され、且つ、端末７０の物理識別子を含む詳細サービス情報を受信する。そして、送信処理部１０４は、端末１００の詳細サービス情報を端末７０の物理識別子と共に送信する。
【０２０２】
［実施例４］
実施例３は、端末間で同期が確立されていることを前提としている。これに対して、実施例４は、端末間で同期が確立されていないことを前提とする。すなわち、実施例４では、１つの端末と他の端末とは、非同期である。
【０２０３】
［第１の端末の構成例］
図１６は、実施例４の第１の端末の一例を示すブロック図である。図１６において端末１７０は、制御情報処理部１７６と、測定用信号生成部１７７とを有する。
【０２０４】
制御情報処理部１７６は、乱数値をランダムに決定し、決定した乱数値に基づいて、端末７０自身の測定用信号を特定する。そして、制御情報処理部１７６は、測定用信号生成部１７７に対して、特定した測定用信号を生成させると共に、端末１７０以外の端末が送信していない時間に測定用信号を出力させる。すなわち、測定用信号は、非同期のＣＳＭＡ／ＣＡ手順によって送信される。なお、測定用信号は、測定用信号に予め設定されたチャネル上で送信される。
【０２０５】
ここで、制御情報処理部１７６は、乱数値Ｘ２を決定せず、乱数値Ｘ１を決定する。すなわち、実施例４では、非同期を前提としているので、送信サブフレームのパターンを用いない。実施例４の乱数値Ｘ１は、例えば、１０ビットである。そして、乱数値Ｘ１の１０ビットの内の８ビットは、４１９通りのＺＣ系列のいずれかの系列番号に対応し、残りの２ビットは、４通りの巡回シフト量のいずれかと対応する。
【０２０６】
そして、測定用信号生成部１７７は、制御情報処理部１７６が決定した乱数値Ｘ１に対応する測定用信号を生成する。具体的には、測定用信号生成部１７７は、まず、乱数値Ｘ１に対応する系列番号の系列（ここでは、特に、「系列基本長」の半分の長さを持つ系列）を乱数値Ｘ１に対応する巡回シフト量だけシフトさせた第１の系列を生成する。そして、測定用信号生成部１７７は、第１の系列を時間反転させた第２の系列を生成する。そして、測定用信号生成部１７７は、第１の系列と第２の系列を連結させて測定用信号を生成する。図１７は、実施例４の測定用信号の一例を示す図である。図１７において系列基本長は、送信される測定用信号の長さを示す。因みに、実施例３において乱数値Ｘ１に対応する系列は、系列基本長と同じ長さを有している。また、図１７においてＮＣＳは、巡回シフト量を示す。また、図１７においてＣＰは、サイクリックプレフィックス（Cyclic  Prefix）を示す。
【０２０７】
また、制御情報処理部１７６は、送信した測定用信号に応じて端末２００から送信された、端末１７０宛ての応答信号が応答信号検出部７９で検出されると、端末１７０の詳細サービス情報を、応答信号に含まれていた端末２００の識別情報と共に多重部８０へ出力する。この端末７０の詳細サービス情報は、キャリアセンス部７８での検出電力値が所定値以下であるタイミング、つまり、端末１７０以外の端末による送信が行われていないタイミングで送信される。すなわち、端末１７０の詳細情報は、非同期のＣＳＭＡ／ＣＡ手順によって送信される。なお、端末１７０の詳細サービス情報には、少なくとも、端末１７０の物理識別子（つまり、物理デバイスＩＤ）が含まれる。また、端末１７０の「詳細サービス情報」には、サービスタイプ識別子（つまり、サービスタイプＩＤ）が含まれてもよい。さらに、端末１７０の詳細サービス情報には、端末２００による詳細サービス情報の送信に用いさせる無線リソースの情報、及び、端末１７０の送信電力に関する情報を含まれてもよい。なお、上記の応答信号は、上記の測定用信号に予め設定されたチャネル上で送信されてもよいし、他のチャネル上で送信されてもよい。従って、応答信号の検出処理は、応答信号が送信される予定のチャネル上で実行されればよい。
【０２０８】
また、制御情報処理部１７６は、送信した詳細サービス情報に応じて端末２００から送信された、端末１７０宛ての端末２００の詳細サービス情報が応答信号検出部７９で検出されると、端末２００を通信相手として認めるか否かを決定する。そして、端末２００を通信相手として認めた場合、制御情報処理部１７６は、端末２００の識別情報及びリソース割り当て情報を多重部８０へ出力する。
【０２０９】
＜変形例＞
なお、実施例４の乱数値Ｘ１は、例えば、９ビットであってもよい。そして、この乱数値Ｘ１は、系列基準長を有する８３９通りの系列のいずれかに対応する。すなわち、この変形例では、測定用信号として用いられる系列は巡回シフトされない。
【０２１０】
［第２の端末の構成例］
図１８は、実施例４の第２の端末の一例を示すブロック図である。図１８において端末２００は、制御情報処理部２０７を有する。
【０２１１】
制御情報処理部２０７は、測定用信号検出部１０６から受け取る検出結果に基づいて、検出した測定用信号に対応する値を算出する。すなわち、制御情報処理部２０７は、上記の乱数値を逆算することを試みる。そして、制御情報処理部２０７は、算出した値及び端末２００の識別情報を含み、且つ、受信した測定用信号に対する応答信号を多重部１１０へ出力する。なお、応答信号は、キャリアセンス部１０８での検出電力値が所定値以下であるタイミング、つまり、端末２００以外の端末による送信が行われていないタイミングで送信される。すなわち、応答信号は、非同期のＣＳＭＡ／ＣＡ手順によって送信される。なお、応答信号は、上記の測定用信号に予め設定されたチャネル上で送信されてもよいし、他のチャネル上で送信されてもよい。
【０２１２】
また、制御情報処理部２０７は、送信した応答信号に応じて端末１７０から送信された、端末２００宛ての端末１７０の詳細サービス情報が応答信号検出部１０９で検出されると、端末１７０を通信相手として認めるか否かを決定する。そして、端末１７０を通信相手として認めた場合、制御情報処理部２０７は、端末１７０の識別情報及び端末２００の詳細サービス情報を多重部１１０へ出力する。この端末２００の詳細サービス情報は、非同期のＣＳＭＡ／ＣＡ手順によって送信される。なお、端末２００の詳細サービス情報には、少なくとも、端末２００の物理識別子（つまり、物理デバイスＩＤ）が含まれる。また、端末２００の「詳細サービス情報」には、サービスタイプ識別子（つまり、サービスタイプＩＤ）が含まれてもよい。さらに、端末２００の詳細サービス情報には、端末１７０による詳細サービス情報の送信に用いさせる無線リソースの情報、及び、端末２００の送信電力に関する情報を含まれてもよい。
【０２１３】
また、制御情報処理部２０７は、端末１７０からリソース割り当て情報及びデータを受信すると、端末１７０の識別情報及びリソース割り当て情報を多重部１１０へ出力する。
【０２１４】
以上のように本実施例によれば、端末１７０において送信処理部７３は、制御部７１で特定された測定用信号を送信する。この測定用信号は、測定用信号として用いられる第１の系列と、当該第１の系列が時間反転された第２の系列とを含む。
【０２１５】
この端末１７０の構成により、端末間で同期が確立されていない場合であっても、測定用信号の識別性能（つまり、相互相関特性）を向上させることができる。
【０２１６】
［他の実施例］
実施例１及び実施例２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０２１７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０２１８】
実施例１から実施例４の基地局及び端末は、例えば、次のようなハードウェア構成により実現することができる。
【０２１９】
図１９は、端末のハードウェア構成例を示す図である。図１９に示すように、端末３００は、ＲＦ（Radio  Frequency）回路３０１と、プロセッサ３０２と、メモリ３０３とを有する。なお、端末１０、端末４０、端末７０、端末１００、端末１７０、及び端末２００のそれぞれが、図１９に示すようなハードウェア構成を有する。
【０２２０】
プロセッサ３０２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ３０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０２２１】
そして、実施例１から実施例４の端末で行われる各種処理機能は、不揮発性記憶媒体などの各種メモリに格納されたプログラムを増幅装置が備えるプロセッサで実行することによって実現してもよい。すなわち、受信処理部１２，４２，７５，１０５と、制御部１３，４３，７１，１０２と、データ処理部１４，４４，７２，１０３と、送信処理部１５，４５，７３，１０４とによって実行される各処理に対応するプログラムがメモリ３０３に記録され、各プログラムがプロセッサ３０２で実行されてもよい。また、受信処理部１２，４２，７５，１０５と、制御部１３，４３，７１，１０２と、データ処理部１４，４４，７２，１０３と、送信処理部１５，４５，７３，１０４とによって実行される各処理は、ベースバンドＣＰＵ及びアプリケーションＣＰＵ等の複数のプロセッサによって分担されて実行されてもよい。また無線部１１，４１，７４，１０１は、ＲＦ回路３０１によって実現される。
【０２２２】
図２０は、基地局のハードウェア構成例を示す図である。図２０に示すように、基地局４００は、ＲＦ回路４０１と、プロセッサ４０２と、メモリ４０３と、ネットワークＩＦ（Inter  Face）４０４とを有する。プロセッサ４０２の一例としては、ＣＰＵ、ＤＳＰ、ＦＰＧＡ等が挙げられる。また、メモリ４０３の一例としては、ＳＤＲＡＭ等のＲＡＭ、ＲＯＭ、フラッシュメモリ等が挙げられる。
【０２２３】
そして、実施例１及び実施例２の基地局で行われる各種処理機能は、不揮発性記憶媒体などの各種メモリに格納されたプログラムを増幅装置が備えるプロセッサで実行することによって実現してもよい。すなわち、受信処理部５２と、制御部５３と、送信処理部５４とによって実行される各処理に対応するプログラムがメモリ４０３に記録され、各プログラムがプロセッサ４０２で実行されてもよい。また、無線部５１は、ＲＦ回路４０１によって実現される。
【０２２４】
なお、ここでは、基地局４００が一体の装置であるものとして説明したが、これに限定されない。例えば、基地局４００は、無線装置と制御装置という２つの別体の装置によって構成されてもよい。この場合、例えば、ＲＦ回路４０１は無線装置に配設され、プロセッサ４０２と、メモリ４０３と、ネットワークＩＦ４０４とは制御装置に配設される。
【符号の説明】
【０２２５】
１，２  通信システム
１０，４０，７０，１００，１７０，２００  端末
１１，４１，５１，７４，１０１  無線部
１２，４２，５２，７５，１０５  受信処理部
１３，４３，５３，７１，１０２  制御部
１４，４４，７２，１０３  データ処理部
１５，４５，５４，７３，１０４  送信処理部
１６，５５，８７，１１７  受信無線部
１７，２８，５６，８３，８８，１１３，１１８  ＦＦＴ部
１８，５７，９２，１２２  復調部
１９，５８，９３，１２３  復号部
２０，９１，１２１  制御チャネル復調部
２１  セルサーチ部
２２，７６，１０７，１７６，２０７  制御情報処理部
２３，１０６  測定用信号検出部
２４，７７，１７７  測定用信号生成部
２５，２７，６６，８０，８２，１１０，１１２  多重部
２６，８１，１１１  シンボルマッピング部
２９，８４，１１４  周波数マッピング部
３０，６７，８５，９０，１１５，１２０  ＩＦＦＴ部
３１，６８，８６，１１６  送信無線部
５０  基地局
５９  分離部
６０  無線リソース制御部
６１  ＭＡＣ制御部
６２  パケット生成部
６３  ＭＡＣスケジューリング部
６４  符号化部
６５  変調部
７８，１０８  キャリアセンス部
７９，１０９  応答信号検出部
８９，１１９  等化部
【図１】
2014181481.tif 000003
【図２】
2014181481.tif 000004
【図３】
2014181481.tif 000005
【図４】
2014181481.tif 000006
【図５】
2014181481.tif 000007
【図６】
2014181481.tif 000008
【図７】
2014181481.tif 000009
【図８】
2014181481.tif 000010
【図９】
2014181481.tif 000011
【図１０】
2014181481.tif 000012
【図１１】
2014181481.tif 000013
【図１２】
2014181481.tif 000014
【図１３】
2014181481.tif 000015
【図１４】
2014181481.tif 000016
【図１５】
2014181481.tif 000017
【図１６】
2014181481.tif 000018
【図１７】
2014181481.tif 000019
【図１８】
2014181481.tif 000020
【図１９】
2014181481.tif 000021
【図２０】
2014181481.tif 000022
【国際調査報告】
2014181481.tif 000023
2014181481.tif 000024
2014181481.tif 000025
2014181481.tif 000026
2014181481.tif 000027
2014181481.tif 000028